(57)【要約】【課題】フォーム情報が入力されないデジタル放送であっても、自局の送信所と下位局へ素材を送出するフォーム情報をオペレータが判読可能な番組送出システムと制御入出力装置および、番組送出制御方法を提供する。【解決手段】ＳＣＰ１からの選択信号により番組の素材を選択して送出するＭ−Ｓｗ’ｅｒ５、及びＲ−Ｓｗ’ｅｒ４は、選択信号を受信するとそれぞれ、入出力ラインの接続状態を応答信号としてＮＤＳ２のＣＰＵ２２へ返送し、ＣＰＵ２２は、その選択・接続データを素材送出装置と、送信所ＴＸ及びエリヤ局又はローカル局への送出先との対応関係でフォームを分類したフォーム判定テーブル２１を照合することにより、例えば、「ネット」の様な送出モードを示すフォームを判別して設定したフォーム情報をＯＡ表示・タッチパネルに転送してそのディスプレイ上に表示する制御を行う。【選択図】図１
2009065392.tif 000002
【特許請求の範囲】
【請求項１】
素材送出装置、またはおよび信号の伝送ラインを入力先もしくは出力先として指定する選択制御信号によって制御されるスイッチャ手段に接続された複数の素材送出装置から、所要の番組素材が送信所と下位の系列局とへ向けて出力される系列放送局の番組送出システムにおいて、
制御データ伝送手段と、
表示手段と、
前記選択制御信号を前記制御データ伝送手段を介して前記スイッチャ手段および前記複数の素材送出装置に送信するスケジュール制御手段と、
前記制御データ伝送手段を介して受信する前記選択制御信号が前記指定する入力先及び出力先を選択して接続し、その接続状態を応答信号として前記制御データ伝送手段を介して制御入出力手段へ送信、出力するスイッチャ手段と、
前記スイッチャ手段での前記複数の素材送出装置からの入力と前記送信所と下位の系列局とへ向けての出力との予め定められた接続組み合わせによって定義される番組送出モードを表すフォームに分類したフォーム判定テーブルと、前記送信された前記応答信号を受信、監視して抽出した前記接続組み合わせを前記フォーム判定テーブルと照合して一致した前記番組送出モードをフォームとして設定して前記表示手段に表示する制御を行う制御処理手段とを備える制御入出力手段とを
具備する事を特徴とする番組送出システム。
【請求項２】
前記制御処理手段は、
前記制御データ伝送手段に出力された前記選択制御信号を監視し、前記選択する前記入力先と出力先との接続組み合わせの情報を抽出し、その抽出した情報を前記フォーム判定テーブルと照合して一致した前記番組送出モードを第２のフォームとして設定し、前記フォームと前記第２のフォームとの内いずれか一方、又は両方を表示するように制御する
ことを特徴とする請求項１記載の番組送出システム。
【請求項３】
前記制御処理手段は、
前記フォームと前記第２のフォームとが一致しない場合、警報を発生する制御をする
ことを特徴とする請求項２記載の番組送出システム。
【請求項４】
前記スケジュール制御手段は、
放送局の運行情報システムのデータサーバ手段から供給される番組の素材を入出力する前記素材送出装置を指定する選択制御情報が付加された番組表に基づき、前記選択制御信号を生成して前記送信する
ことを特徴とする請求項１〜３いずれか１つに記載の番組送出システム。
【請求項５】
ディスプレイと、ネットワークと、制御入出力手段と、スイッチャ手段と、スケジュール制御手段とを備え、前記スイッチャ手段に接続された複数の素材送出装置から、素材送出装置またはおよび信号の伝送ラインを入力先もしくは出力先として指定する選択制御信号によって所要の番組素材が送信所と下位の系列局とへ向けて出力される系列放送局の番組送出システムの番組送出制御方法において、
前記スケジュール制御手段は、
前記選択制御信号を前記ネットワークを介して前記スイッチャ手段および前記複数の素材送出装置に送信し、
前記選択制御信号を受信する前記スイッチャ手段は、
前記選択制御信号が前記指定する入力先及び出力先を選択して接続し、その接続状態を応答信号として前記ネットワークを介して制御入出力手段へ送信し、
前記応答信号を受信する前記制御入出力手段は、
前記スイッチャ手段での前記複数の素材送出装置からの入力と前記送信所と下位の系列局とへ向けての出力との予め定められた接続組み合わせによって定義される番組送出モードを表すフォームに分類したフォーム判定テーブルとして記憶し、
前記送信された前記応答信号を受信、監視することにより抽出した前記接続組み合わせを前記フォーム判定テーブルを読み出して照合し、前記抽出した前記接続組み合わせと一致する前記番組送出モードのフォームを前記ディスプレイに表示する制御を行う
ことを特徴とする番組送出システムの番組送出制御方法。
【請求項６】
前記制御入出力手段は、
前記ネットワークに出力された前記選択制御信号を監視し、前記定められる前記入力先と出力先との接続組み合わせの情報を抽出し、その抽出された情報を前記フォーム判定テーブルと照合して一致した前記番組送出モードを第２のフォームとして設定し、前記フォームと前記第２のフォームとの内いずれか一方、又は両方を表示するように制御する
ことを特徴とする請求項５記載の番組送出システムの番組送出制御方法。
【請求項７】
前記スケジュール制御手段は、
放送局の運行情報システムのデータサーバ手段から供給される当該番組の素材を入出力する前記素材送出装置を指定する選択制御情報が付加された番組表に基づき、前記選択制御信号を生成して前記送信する制御を行う
ことを特徴とする請求項５又は６に記載の番組送出システムの番組送出制御方法。
【請求項８】
機器間での制御に係わる制御データを伝送する制御データ伝送手段によってそれぞれが接続されるスケジュール制御手段と、素材送出装置と、スイッチャ手段と、制御入出力手段と、表示手段とを備え、前記スケジュール制御手段が前記制御データ伝送手段を介して送信する前記素材送出装置、またはおよび信号の伝送ラインを入力先もしくは出力先として指定する選択制御信号によって前記スイッチャ手段に接続された複数の素材送出装置から、番組素材が送信所と下位の系列局とへ向けて出力される系列放送局の番組送出システムの制御入出力装置において、
前記スイッチャ手段での前記複数の素材送出装置からの入力と前記送信所と下位の系列局とへ向けての出力との予め定められた接続組み合わせによって定義される番組送出モードを表すフォームに分類したフォーム判定テーブルと、
前記スイッチャ手段から前記制御データ伝送手段を介して送信された前記選択制御信号に対する応答信号を受信することにより抽出した前記接続組み合わせを前記フォーム判定テーブルと照合して一致した前記番組送出モードをフォームとして設定して前記表示手段に表示する制御を行う制御処理手段とを
具備する事を特徴とする番組送出システムの制御入出力装置。
【請求項９】
前記制御処理手段は、
前記前記制御データ伝送手段を介して前記送信された前記選択制御信号を受信、監視することにより前記定められる前記入力先と出力先との接続組み合わせの情報を抽出し、その抽出した情報を前記フォーム判定テーブルと照合して一致した前記番組送出モードを第２のフォームとして設定し、前記フォームと前記第２のフォームとの内いずれか一方、又は両方を表示する制御を行う
ことを特徴とする請求項８記載の番組送出システムの制御入出力装置。
【発明の詳細な説明】
【技術分野】
【０００１】
本発明は、放送局における番組送出システムと制御入出力装置、および番組送出制御方法に関する。
【背景技術】
【０００２】
広い地域に亘って番組を放送する放送局組織では、例えば、上位のセンター局、或る地域毎に放送番組を再編成するエリヤ局、更に或る特定の地区毎に番組を放送するローカル局等から成るようなハイアラーキーのネット系列が構成される。中間に位置するエリヤ局は何段階かで構成される場合もある。
【０００３】
図７は、ネット系列の放送局の番組素材を送出する系統の概念図である。  
図７において、ネット系列の放送局は、センター局ｃ、エリヤ局ｅ１〜ｅｎ、ローカル局ｄ１〜ｄｎで構成される。ここでは、エリヤ局は１段の構成である場合を示している。
【０００４】
ネット系列の放送局では、センター局ｃ自身の送信所ｔｘｃから自局番組用素材を放送電波にして送信すると同時に、系列のエリヤ局ｅ１〜ｅｎ以下の局が放送するためのネット番組素材をネットを介して下位の局へ向けて送出する。
【０００５】
各エリヤ局では、上位局（ここでは、センター局とする。）から送信されるネット番組素材か、又は、各エリヤ局ｅ１〜ｅｎが自局で独自に制作した自局番組素材のいずれかを選択して自局の送信所ｔｘｅ１〜ｔｘｅｎから放送電波にして送信すると同時に下位の、例えば、ローカル局ｄ１〜ｄｎに向けて、上位局から受信したネット番組素材と、自局で制作した番組素材とのうちからいずれかを下位局向けに選択した配信用素材を送出する。
【０００６】
この自局の送信所から送信する放送番組やネットを介して下位へ送信する配信用素材は、それぞれの局が備える番組送出システム、又は装置によって選択制御される。そしてこの番組送出システムは、放送局の番組進行を管理する運行情報システムから供給される番組表のデータによって局内時計を参照して所定の時刻に放送番組を選択して送出する制御が行われる。
【０００７】
アナログ放送では、センター、又はそれぞれのエリヤの各放送局毎に自局が放送する番組素材と、下位の局に向けて送出する番組素材の送出制御を、ネット番組素材と自局制作した番組素材との選択組み合わせの形態によって定義するフォームと呼ばれる送出モードを起点として、各番組素材の送出制御を行っていた。
【０００８】
図８は、アナログ放送における番組送出システムの概念を説明する機能ブロック図である。  
図８において、センター局の運行情報システムのデータサーバ７１は、エリヤ局の番組管理装置１５へ番組表と共にフォーム情報を送信する。番組管理装置１５は、この番組表とフォーム情報を元に、送出する番組素材の選択切替を行うスイッチャ（Ｓｗ‘ｅｒ）５４を局内時計（図示せず）を参照して制御するＳＣＰ１０へ番組切替情報を入力するともに、内部バスＢを介して現在の送出モード、即ち、フォーム情報をＯＡ表示・タッチパネル３へ送出する。
【０００９】
各放送局では、フォームを判読し、それを構成する番組素材を番組時刻表に従ってどの素材供給源から取得するかを選択する制御プログラムを番組送出システムが実行する仕組みである。つまり、自局の送信所から放送中の番組と系列局に送出中との番組素材の組み合わせをオペレータがフォームと呼ばれる番組編成条件として知っていた。
【００１０】
オペレータは、緊急事態が発生した場合、このフォーム表示を参照しながらＮＤＳ（制御入出力ステーション）２０により、ＳＣＰ１０で制御する代わりに送出する素材との切替を行うなどのスイッチャ制御等の操作を行った。
【００１１】
一方、近年導入が進められているデジタル放送では、このフォームの概念を無くし、センター化管理された運行情報システムのデータサーバから直接、各放送局の番組送出装置へ番組素材の選択制御データが供給されるだけで番組送出制御が済む様になった。この場合、各放送局は、機材の動作状態を、スイッチャが選択している機材を検出することによって番組表通りに番組送出装置が動作しているかを確認することを可能にしている（例えば、特許文献１。）。
【００１２】
図９は、デジタル放送における番組送出システムの動作を説明する機能ブロック図である。  
図９において、番組送出システムＱｄは、ネット系列放送局のセンター局、又は、各エリヤ局に設置される。それぞれの間が局内の制御データネットワークＢで接続されたＳＣＰ（Ｓｃｈｅｄｕｌｅ  Ｃｏｎｔｒｏｌ  Ｐｒｏｃｅｓｓｏｒ）１、ＮＤＳ２０、ＯＡ表示・タッチパネル３、リソーススイッチャ（以下、Ｒ−Ｓｗ’ｅｒと省略する。）４、マスタースイッチャ（以下、Ｍ−Ｓｗ’ｅｒと省略する。）５を備えている。
【００１３】
センター局、又は運行管理センター等に備えられた運行情報システムのＤＳ（Ｄａｔａ  Ｓｅｒｖｅｒ）７から番組表のデータが通信網等を介して各局に送信され、各エリヤ局のＳＣＰ１が通信Ｉ／Ｆ６を介して受信する。
【００１４】
アナログ放送の場合と異なり、各エリヤ局では、番組管理装置１５へはフォーム情報が出力されず、また、ＯＡ表示・タッチパネル３にもフォーム情報は表示されない。ＳＣＰ１は、運行情報システムのＤＳ７からの番組表に付属する素材送出装置選択情報から生成される素材切替タイミングに従って、自局内の各素材送出装置を切り替えるＲ−Ｓｗ’ｅｒ４と、送信所と下位系列局へ送出する素材を切り替えるＭ−Ｓｗ’ｅｒ５とを制御する。
【００１５】
番組送出状態をモニタする機能として両スイッチャがどの素材を選択したかが、各スイッチャからの応答信号がＮＤＳ２、又はＯＡ表示・タッチパネル３へ向けて制御データネットワークＢを介して返送され確認が可能である。
【００１６】
しかし、この方法では、センター局や各エリヤ局のオペレータは、番組編成条件である自局が放送、又は送出中の番組素材の種別、組み合わせのフォームが判ら無い為、運用が混乱する問題が生じた。即ち、アナログ放送が、まだ継続して放送されており、オペレータは、アナログ放送で採用されてきたフォーム情報を利用する運用が習慣になっている。
【００１７】
従って、送出中の番組が正しい選択が行われているのか確認する場合、又は、緊急事態が発生した場合、自局の放送信号や、送出中の信号を緊急事態に対応して切り替える場合などフォームによる包括的な送出モードの情報が表示されている方が、各放送局のオペレータの判断や作業をより的確に進めることが可能になる。
【特許文献１】特開２００２−３５３９２６号公報  （第８頁、第１図）
【発明の開示】
【発明が解決しようとする課題】
【００１８】
従来のデジタル放送システムの番組送出制御では、センター局や各エリヤ局のオペレータは、自局が放送、又は送出中の番組素材の種別、組み合わせの番組編成情報であるフォームが判らない問題が有った。
【００１９】
本発明は、上記問題を解決するためになされたもので、自局の送信所と下位局へ素材を送出する番組送出モードを示すフォーム情報をオペレータが判読可能な番組送出システムと制御入出力装置、および番組送出制御方法を提供することを目的とする。
【課題を解決するための手段】
【００２０】
上記目的を達成するために、本発明の番組送出システムは、素材送出装置、またはおよび信号の伝送ラインを入力先もしくは出力先として指定する選択制御信号によって制御されるスイッチャ手段に接続された複数の素材送出装置から、所要の番組素材が送信所と下位の系列局とへ向けて出力される系列放送局の番組送出システムにおいて、制御データ伝送手段と、表示手段と、前記選択制御信号を前記制御データ伝送手段を介して前記スイッチャ手段および前記複数の素材送出装置に送信するスケジュール制御手段と、前記制御データ伝送手段を介して受信する前記選択制御信号が前記指定する入力先及び出力先を選択して接続し、その接続状態を応答信号として前記制御データ伝送手段を介して制御入出力手段へ送信、出力するスイッチャ手段と、前記スイッチャ手段での前記複数の素材送出装置からの入力と前記送信所と下位の系列局とへ向けての出力との予め定められた接続組み合わせによって定義される番組送出モードを表すフォームに分類したフォーム判定テーブルと、前記送信された前記応答信号を受信、監視して抽出した前記接続組み合わせを前記フォーム判定テーブルと照合して一致した前記番組送出モードをフォームとして設定して前記表示手段に表示する制御を行う制御処理手段とを備える制御入出力手段とを具備する事を特徴とする。
【００２１】
また本発明の番組送出システムの番組送出制御方法は、ディスプレイと、ネットワークと、制御入出力手段と、スイッチャ手段と、スケジュール制御手段とを備え、前記スイッチャ手段に接続された複数の素材送出装置から、素材送出装置またはおよび信号の伝送ラインを入力先もしくは出力先として指定する選択制御信号によって所要の番組素材が送信所と下位の系列局とへ向けて出力される系列放送局の番組送出システムの番組送出制御方法において、前記スケジュール制御手段は、前記選択制御信号を前記ネットワークを介して前記スイッチャ手段および前記複数の素材送出装置に送信し、前記選択制御信号を受信する前記スイッチャ手段は、前記選択制御信号が前記指定する入力先及び出力先を選択して接続し、その接続状態を応答信号として前記ネットワークを介して制御入出力手段へ送信し、前記応答信号を受信する前記制御入出力手段は、前記スイッチャ手段での前記複数の素材送出装置からの入力と前記送信所と下位の系列局とへ向けての出力との予め定められた接続組み合わせによって定義される番組送出モードを表すフォームに分類したフォーム判定テーブルとして記憶し、前記送信された前記応答信号を受信、監視することにより抽出した前記接続組み合わせを前記フォーム判定テーブルを読み出して照合し、前記抽出した前記接続組み合わせと一致する前記番組送出モードのフォームを前記ディスプレイに表示する制御を行うことを特徴とする。
【００２２】
更に、本発明の番組送出システムの制御入出力装置は、  機器間での制御に係わる制御データを伝送する制御データ伝送手段によってそれぞれが接続されるスケジュール制御手段と、素材送出装置と、スイッチャ手段と、制御入出力手段と、表示手段とを備え、前記スケジュール制御手段が前記制御データ伝送手段を介して送信する前記素材送出装置、またはおよび信号の伝送ラインを入力先もしくは出力先として指定する選択制御信号によって前記スイッチャ手段に接続された複数の素材送出装置から、番組素材が送信所と下位の系列局とへ向けて出力される系列放送局の番組送出システムの制御入出力装置において、前記スイッチャ手段での前記複数の素材送出装置からの入力と前記送信所と下位の系列局とへ向けての出力との予め定められた接続組み合わせによって定義される番組送出モードを表すフォームに分類したフォーム判定テーブルと、前記スイッチャ手段から前記制御データ伝送手段を介して送信された前記選択制御信号に対する応答信号を受信することにより抽出した前記接続組み合わせを前記フォーム判定テーブルと照合して一致した前記番組送出モードをフォームとして設定して前記表示手段に表示する制御を行う制御処理手段とを具備する事を特徴とする。
【発明の効果】
【００２３】
本発明によれば、自局が放送、および送出中のフォーム情報をオペレータが判読可能な番組送出システム、番組送出表示装置および番組送出制御方法を提供することができる。
【発明を実施するための最良の形態】
【００２４】
以下、図面を参照して本発明の実施例を説明する。
【実施例】
【００２５】
図１は、本発明の実施例に係わる番組送出システムの動作を説明する機能ブロック図である。  
図１において、ネット系列放送局の構成は、図６に示される場合と同様である。そして、番組送出システムＱは、ネット系列放送局のセンター局、又は、各エリヤ局に設置され、それぞれの間が局内の制御データネットワークＢで接続されたＳＣＰ（Ｓｃｈｅｄｕｌｅ  Ｃｏｎｔｒｏｌ  Ｐｒｏｃｅｓｓｏｒ）１、制御入出力ステーション（以下、ＮＤＳと省略する。）２、ＯＡ表示・タッチパネル３、リソーススイッチャ（以下、Ｒ−Ｓｗ‘ｅｒと省略する。）４、マスタースイッチャ（以下、Ｍ−Ｓｗ‘ｅｒと省略する。）５を備えている。
【００２６】
センター局、又は運行管理センター等に備えられた運行情報システムＤＳ（Ｄａｔａ  Ｓｅｒｖｅｒ、以下ＤＳ７と略す。）７から番組表のデータが通信網等を介して各局に送信され、各エリヤ局のＳＣＰ１が通信Ｉ／Ｆ６および制御データネットワークＢを介して受信する。
【００２７】
ＳＣＰ１は、図示されない局内時計を参照し、番組表記載の番組が所定の時刻に放送されるよう、ＤＳ７からの番組表に付加される素材送出装置の選択情報に従って、Ｒ−Ｓｗ‘ｅｒ４、Ｍ−Ｓｗ‘ｅｒ５へ制御データネットワークＢを介して入出力先を選択して接続する制御を行う選択信号を送信する。なお、ＤＳ７から素材送出装置の選択情報を直接取得する代わりに、アナログ放送の場合と同様に、図示されない番組管理装置１５が準備され、ＤＳ７に代わって番組管理装置１５が生成、又は編集した素材送出装置の選択情報をＳＣＰ１へ供給するものであっても良い。
【００２８】
また、ＳＣＰ１は、両マトリクススイッチャに選択信号を出力するのに合わせて、その素材送出装置に対しても起動、停止等の制御信号を合わせて制御データネットワークＢを介して送信している。なお、その際、精確なタイミング制御を行う為に両マトリクススイッチャおよび各装置とは、ＲＴＰ（ｒｅａｌ  Ｔｉｍｅ  Ｐｒｏｃｅｓｓｏｒ）を介して選択信号や制御信号を入出力するが、図１では省略している。
【００２９】
Ｒ−Ｓｗ‘ｅｒ４とＭ−Ｓｗ‘ｅｒ５とは、この選択信号に対応して選択・接続を行っている状態を示す応答信号を制御データネットワークＢを介してＮＤＳ２へ送信する。従来のデジタル放送用の番組送出システムでは、ＮＤＳ２０がこの接続状態（選択した素材送出装置）をＯＡ表示・タッチパネル３にモニタデータにして表示していただけでフォームに関する表示処理は行われていない。
【００３０】
本発明の実施例においては、ＮＤＳ２は、この応答信号の接続情報（選択された素材送出装置と出力の系統）を判読し、更に従来用いられていたフォーム情報を生成してＯＡ表示・タッチパネル３に表示することを可能にしている。
【００３１】
図２は、フォーム情報の動作手順を説明する番組送出システムの機能ブロック図、図３、図４は、フォーム判定テーブル２１の一例、図５は、番組送出システムのフォーム判定に係わる処理手順を説明するフローチャートである。  
以下、図２〜図５を参照して番組送出システムの動作、処理手順を説明する。
【００３２】
以下、図１と重複する事項は、省略する。
【００３３】
図２において、Ｒ−Ｓｗ’ｅｒ４は、自局内の番組素材を選択する為のマトリクススイッチャである。ここでは、自局が放送するか、又は、配信用素材とするかの素材送出装置、例えばＶＴＲｒ２、スタジオ（カメラ等）ｒ３、通信回線ｒ４、その他ｒｎからの入力ライン（以下、それぞれラインＲ２〜Ｒｎと称する。）を備えている。
【００３４】
また、各入力ラインの内からいずれか１つを選択してＭ−Ｓｗ’ｅｒ５へ出力する２つの自局リソースＡ、自局リソースＬの２つの出力ライン（以下それぞれ、ラインＡ、Ｌと称する。）を備えている。
【００３５】
Ｍ−Ｓｗ’ｅｒ５は、ラインＡ、ラインＬから入力される自局リソースＡ、自局リソースＬ、および上位局から（センター局であれば自局。）のネット番組素材を出力するネット番組送出装置８からのネットリソースＳの３つの入力ライン（以下、それぞれＡ、Ｌ、Ｓラインと称する。）を備えている。そして、これらの３つの入力ラインから自局の送信所送りＴＸ素材と、下位のエリヤ局、又は、ローカル局ＮＳへの配信用素材との送出素材を選択する２つのライン（以下、それぞれＴＸ、ＮＳラインと称する。）がある。
【００３６】
これらの両マトリクススイッチャにおける各入出力のライン間接続を設定する選択信号は、前述の如く制御データネットワークＢを介してＳＣＰ１から、又は、緊急時等にオペレータからの指示によってＮＤＳ２から入力される。
【００３７】
両マトリクススイッチャが選択信号に応じてクローズした接点情報、言い換えれば取得している素材送出装置の情報は、応答信号として、制御データネットワークＢを介してＮＤＳ２に返送される。ＮＤＳ２は、後述のごとく、これらの応答信号からＯＡ表示・タッチパネル３が表示するフォームの情報を生成する信号処理を行う。
【００３８】
図２において、ＮＤＳ２は、バス等ｂｓを介してそれぞれの間が接続されたフォーム判定テーブル２１、ＣＰＵ２２、制御データネットワークＢとのインタフェースを行うＩ／Ｏ２３、キーボード、又は、スイッチ等のコマンド入力部２４、入力する応答信号を監視する接点情報入力部２６、ＯＡ表示・タッチパネル３に表示するデータを編集する表示処理部２５とを備える。
【００３９】
接点情報入力部２６は、制御データネットワークＢとＩ／Ｏ２３を介して両マトリクススイッチャからの応答信号を抽出しバス等ｂｓを介してＣＰＵ２２へ送信する。この応答信号は、各マトリクススイッチャがクローズしている接点アドレスを表示しているので、ＣＰＵ２２は各マトリクススイッチャの出力が選択している入力先（素材送出装置等）を判読しフォーム判定テーブル２１と照合し、フォームを設定する。
【００４０】
フォーム判定テーブル２１は、図３に示されるＭ−Ｓｗ’ｅｒ５の接続状態によりフォームを設定するマスタテーブルＭＴと、図４に示されるＲ−Ｓｗ’ｅｒ４の接続状態により素材送出装置を判読するリソーステーブルＲＴとが組になってＮＤＳ２の図示されない記憶手段に予め所定事項の入力設定が行われて記憶される。
【００４１】
このうち、リソーステーブルＲＴは、後述するようにマスタテーブルＭＴを補完してフォームを設定する条件の参照に使用されるＲ−Ｓｗ’ｅｒ４の入力接続先の素材送出装置のリストであり、各局のスタジオに設置されるＲ−Ｓｗ’ｅｒ４の接続工事や、機材変更内容と同じ接続先データが図示されない記憶手段にコピー、編集されて記憶される。
【００４２】
図３において、フォームは、「ネット」、「ローカル」、「エリヤ」、「セパレート」、「セイム」の５つのフォームで設定される送出モードに分類されてマスタテーブルＭＴに記載された内容である。ＣＰＵ２２は、これらのうち、上位からのネット番組素材を含んで送出される、言い換えれば、ＴＸラインとＮＳラインの内少なくともいずれか一方がＳラインと接続されている場合の「ネット」、「ローカル」、「エリヤ」の３つは、マスタテーブルＭＴのみ照合してフォームを判定する。
【００４３】
「セパレート」と「セイム」については、ＴＸラインとＮＳラインの両方が同時にＳラインには接続されず、自局で作成したリソースのみ（Ａ、Ｌラインだけ）の組み合わせで送出される。そして、ＣＰＵ２２は、更にＲ−Ｓｗ’ｅｒ４の接点状態から素材送出装置の組み合わせを抽出する為に後述の様にリソーステーブルＲＴを参照して「セパレート」と「セイム」を区別してフォーム判定を行う。
【００４４】
さて、ＳＣＰ１は、運行情報システムＤＳ７から受信した番組表に従った番組の放送にあたって、制御データネットワークＢを介して、番組表で指定された素材送出装置に素材を出力するコマンドと、その素材送出装置と素材の送出先を選択する両マトリクススイッチャへ、即ち、両マトリクススイッチャの各入出力のライン間接続の選択信号とを送信する（図５のステップｓ１）。そして、次の番組が放送されるまで両マトリクススイッチャの接点状態が保持される。
【００４５】
両マトリクススイッチャは、その接点状態を応答信号として、ＮＤＳ２へ制御データネットワークＢを介して送信する（ステップｓ２）。制御データネットワークＢとＩ／Ｏ２３とを介して応答信号を受信したＮＤＳ２の接点情報入力部２６は、両マトリクススイッチャからの応答信号を抽出して応答データを生成する。
【００４６】
そして、バス等ｂｓを介してその応答データをＣＰＵ２２へ通知する。この応答データは、各マトリクススイッチャがクローズ（選択・接続）している接点アドレスを表示している。
【００４７】
ＣＰＵ２２は、応答データの各マトリクススイッチャの出力が選択している入力先のライン（又は、素材送出装置等）を判読し、その入出力の組み合わせの番組送出モードをフォーム判定テーブル２１のマスタテーブルＭＴと照合する（ステップｓ３）。そして、Ｍ−Ｓｗ’ｅｒ５がラインＴＸ、又はラインＮＳの少なくともいずれか１つがネットリソースＳを入力（選択・接続）している場合（ステップｓ４がＹｅｓ）、残りのラインの接続先を調べ、「ネット」、「ローカル」、「エリヤ」の内のいずれかの組み合わせと一致するフォームを設定する（ステップｓ５）。
【００４８】
もし、Ｍ−Ｓｗ’ｅｒ５がＴＸライン、又はＮＳラインの両方が、ネットリソースＳ（Ｓライン）を入力していない場合（ステップｓ４がＮｏ）、言い換えれば、自局リソースＡとＬとのみの組み合わせで入力している時には、更に、リモートテーブルＲＴを読み出す。
【００４９】
そして、Ｍ−Ｓｗ’ｅｒ４のラインＬ、ラインＡの両方の入力（選択・接続）先をリモートテーブルＲＴと照合する（ステップｓ６）。どちらも同じ素材送出装置、例えば、ＶＴＲｒ２のラインＲ２を入力している場合（ステップｓ７がＹｅｓ）、「セイム」を設定する（ステップｓ５―１）。もし、ラインＬ、ラインＡがそれぞれ別の素材送出装置を選択・接続先としている場合、（ステップｓ７がＮｏ）、「セパレート」を設定する（ステップｓ５−２）。
【００５０】
また、別の方法として、リソーステーブルＲＴを用いずに（ステップ６を省略）、マスタテーブルＭＴの直接自局リソースＡ、Ｌの入力先の素材送出装置名が書き込まれ、その素材送出装置が同じ場合か否かで、「セイム」、又は「セパレート」のフォームかを判断して設定するようにしても良い。
【００５１】
そして、ＣＰＵ２２は、その設定したフォームの名称を出力する指示を表示処理部２５へ出力し、設定されたフォームは、表示処理部２５で所定の画面フォーマットで編集され、Ｉ／Ｏ２３と制御データネットワークＢとを介してＯＡ表示・タッチパネル３に送信され、そのディスプレイ上に表示される（ステップｓ８）。
【００５２】
図６は、エリヤ局ＯＡ表示・タッチパネル３が表示する、放送中の番組の素材送出装置と、フォームの１例である。  
図６において、画面には、時刻「２０：５０：１５」と、送信所ＴＸ送りの送出素材の番組名称「全国ニュース」および素材送出装置が上位（センタ局から送信されている）の「ネット番組送出装置」と、そのエリヤ内のローカル局等送りの「ＶＴＲ  ＃１８」からのエリヤ内の共通な収録素材である「ＯＯ地方行政案内」を送出していること、その組み合わせが前述の判断による「ネット」のフォームが表示されている。当然ながら、従来のデジタル放送の番組送出システムでは、フォーム表示はない。
【００５３】
ＯＡ表示・タッチパネル３のディスプレイ上に表示される番組名は、ＤＳ７から制御データネットワークＢを介してＮＤＳ２又はＯＡ表示・タッチパネル３に予め通知されているので、いずれか一方で取り込んで表示すれば良い。
【００５４】
なお、フォーム表示の表示形態については、上記の形態に限定されるものではなく、例えば、番組名が省略されているもの、又は、番号表示等であっても良い。例えば、ＮＤＳ２から緊急番組として、マトリクススイッチャの切替を行われた場合ソースの表示だけですませる場合などがそれに当たる。
【００５５】
また、上記説明では、応答信号から両マトリクススイッチャの状態を検出してフォームを設定しているが、選択信号から番組表に対応するフォーム予定を編集してＯＡ表示・タッチパネル３に表示する機能があっても良い。それには、ＮＤＳ２のＣＰＵ２２が制御データネットワークＢを監視してＳＣＰ１が両マトリクススイッチャ、及び各素材送出装置に対して送信するイベント情報を（時刻とそれに対応する、選択や切替動作など）を読み出し、その中のマトリクススイッチャの接続に関する情報を抽出して、番組、あるいは放送時間毎の素材送出装置や送出先を（入力先と出力先との組合せを）、フォーム判定テーブル２１と照合して予定フォーム情報を生成すればよい。
【００５６】
ＣＰＵ２２は、こうして得られた予定フォーム、もしくは両方のフォームを並べてＯＡ表示・タッチパネル３に表示するか、更にはその予定フォームと、実際のフォームとを照合し、両者が一致しない場合には、警報を生成してＯＡ表示・タッチパネル３に表示する制御を行っても良い。
【００５７】
以上、説明した如く、本発明の実施例における番組送出システムおよび、番組送出方法は、番組運行情報処理システムのＤＳ７からのスイッチャにおける接続先選択信号だけが送出されフォーム情報が送出されないデジタル放送であっても、アナログ放送同様のフォーム情報を作成することにより自局が放送、および送出中のフォーム情報をオペレータが判読可能な番組送出システム、番組送出表示装置および番組送出制御方法を提供することが出来る。
【００５８】
また、デジタル放送用の番組送出システムを利用してアナログ放送を行っている場合もエリヤ局等には同様にフォーム情報が通知されないが、本発明は、デジタル放送のみならず、そのようなアナログ放送の番組送出にも適用出来ることは言うまでもない。
【図面の簡単な説明】
【００５９】
【図１】本発明の実施例に係わる番組送出システムの動作を説明する機能ブロック図。
【図２】フォーム情報の動作手順を説明する番組送出システムの機能ブロック図、
【図３】フォーム判定テーブル２１のマスタテーブルを示す図。
【図４】フォーム判定テーブル２１のリモートテーブルを示す図。
【図５】番組送出システムのフォーム判定に係わる処理手順を説明するフローチャート。
【図６】ネット系列の放送局の番組素材を送出する系統の概念図。
【図７】ネット系列の放送局の番組素材を送出する系統の概念図。
【図８】アナログ放送における番組送出システムの概念を説明する機能ブロック図。
【図９】デジタル放送における従来の番組送出システムの動作を説明する機能ブロック図。
【符号の説明】
【００６０】
１  ＳＣＰ（Ｓｃｈｅｄｕｌｅ  Ｃｏｎｔｒｏｌ  Ｐｒｏｃｅｓｓｏｒ）
２  制御入出力ステーション（ＮＤＳ）
２１  フォーム判定テーブル
２２  ＣＰＵ
２３  Ｉ／Ｏ
２４  コマンド入力部
２５  表示処理部
２６  接点情報入力部
３  ＯＡ表示・タッチパネル
４  リソーススイッチャ（Ｒ−Ｓｗ’ｅｒ）
５  マスタースイッチャ（Ｍ−Ｓｗ’ｅｒ）
６  通信Ｉ／Ｆ６
７  運行情報システムＤＳ（Ｄａｔａ  Ｓｅｒｖｅｒ）
８  ネット番組送出装置
Ｂ  制御データネットワーク
Ｓ  ネットリソース
Ａ  自局リソースのライン
Ｌ  自局リソースのライン
ＭＴ  マスタテーブル
ＲＴ  リソーステーブル
ＴＸ  送信所送りのライン
ＮＳ  エリヤ局・ローカル局送りのライン
Ｑ  番組送出システム
【図１】
2009065392.tif 000003
【図２】
2009065392.tif 000004
【図３】
2009065392.tif 000005
【図４】
2009065392.tif 000006
【図５】
2009065392.tif 000007
【図６】
2009065392.tif 000008
【図７】
2009065392.tif 000009
【図８】
2009065392.tif 000010
【図９】
2009065392.tif 000011